(57)【要約】【課題】  組み立てが容易に出来るケーブル保護カバーを提供する。【解決手段】  ケーブル保護カバー１０１は、柔軟な素材で形成された長尺状の蓋部品１０２と受け部品１０３で構成されている。蓋部品１０２は、１対の嵌合部１０４と片方の嵌合部１０４ともう片方の嵌合部１０４を繋ぐように形成された蓋部１０６からなり、受け部品１０３は、１対の嵌合部１０４と片方の被嵌合部１０５ともう片方の被嵌合部１０５を繋ぐように形成された底部１０７からなる。また、蓋部品１０２と受け部品１０３は、それぞれの嵌合部１０４と被嵌合部１０５で接続され、中空部１１５が形成されている。こうして形成された中空部１１５内にケーブル１３０が配設される。【選択図】      図１
2006166640.tif 000002
【特許請求の範囲】
【請求項１】
ケーブルやホース等の長尺体を挿通され、前記長尺体の少なくとも一部の移動に伴って湾曲するケーブル保護カバーにおいて、
長尺で柔軟な材料からなる第１の部品の両側縁に沿って被嵌合部を設け、長尺で柔軟な材料からなる第２の部品の両側縁に沿って嵌合部を設け、前記第１の部品の前記被嵌合部と前記第２の部品の前記嵌合部とを嵌合させることによって前記第１の部品と前記第２の部品とを結合させ、両部品間に長尺体を挿通させるための中空部を形成したことを特徴とするケーブル保護カバー。
【請求項２】
長さ方向に対して直交するある方向には曲がりやすく、長さ方向及び前記ある方向と直交する方向には曲がりにくくなっていることを特徴とする、請求項１に記載のケーブル保護カバー。
【請求項３】
前記ある方向では、少なくとも１８０度の角度で湾曲させることができることを特徴とする、請求項２に記載のケーブル保護カバー。
【請求項４】
前記第１の部品は前記被嵌合部間に底部を有し、前記第２の部品は前記嵌合部間に蓋部を有し、前記底部又は前記蓋部のうち少なくとも一方に１つ又は２つ以上の貫通孔を開口されたことを特徴とする、請求項１〜３に記載のケーブル保護カバー。
【請求項５】
前記第１の部品は前記被嵌合部間に底部を有し、前記第２の部品は前記嵌合部間に蓋部を有し、前記底部又は前記蓋部のうち少なくとも一方に幅方向にわたる１つ又は２つ以上のスリットを形成されたことを特徴とする、請求項１〜４に記載のケーブル保護カバー。
【請求項６】
前記被嵌合部が、前記底部の厚みよりも太い棒状の弾性リブであることを特徴とする、請求項１〜５に記載のケーブル保護カバー。
【請求項７】
前記第１の部品は前記被嵌合部間に底部を有し、前記第２の部品は前記嵌合部間に蓋部を有し、前記底部又は前記蓋部のうち少なくとも一方の前記中空部側に長さ方向に沿って１つ又は２つ以上の仕切部を有することを特徴とする、請求項１〜６に記載のケーブル保護カバー。
【請求項８】
前記中空部内に１つ又は２つ以上の補助部品が納められていることを特徴とする、請求項１〜７に記載のケーブル保護カバー。
【発明の詳細な説明】
【技術分野】
【０００１】
本発明は、ケーブル保護カバーに関し、特に電源ケーブルや信号ケーブル或いはエアホースや油圧ホースなど（以下、ケーブルと言う。）を支持案内するためのケーブル保護カバーに関する。
【背景技術】
【０００２】
ケーブルドラグチェーンは、直線往復移動する工作機械等の移動部に一端を取り付けられ、他端が近くの非移動部に取り付けられ、移動部と非移動部を結ぶケーブルを収納し、保護している。例えば、図７に示すようにケーブルドラグチェーン２００は、片方の端部が移動部２０１に固定され、もう片方の端部が非移動部２０２に固定されて、Ｕ字状に湾曲しており、移動部２０１の移動に伴ってＵ字状を維持したまま湾曲部分が移動するようになっている。従来、このようなケーブルドラグチェーンには、小型の筒状をした部品をチェーン状に複数湾曲自在に連結して湾曲自在に形成したものが用いられている。しかしながら、ケーブルの長さに応じた数の部品を組み立ててつなぎ合わせる必要があり、ケーブルが長い場合等に部品数が多くなり、組み立てに時間が掛かっていた。また、部品数が多くなるのでその分コストもかかっていた。さらに、ケーブルドラグチェーンの移動時に小型の筒状をした部品同士がぶつかり合って音がうるさいという問題もあった。
【特許文献１】特許第２５８９０１４号公報
【発明の開示】
【発明が解決しようとする課題】
【０００３】
本発明は、上記のような技術的課題に鑑みてなされたものであり、その目的とするところは、組み立てが容易に出来るケーブル保護カバーを提供することにある。
【課題を解決するための手段】
【０００４】
本発明の請求項１にかかるケーブル保護カバーは、ケーブルやホース等の長尺体を挿通され、前記長尺体の少なくとも一部の移動に伴って湾曲するケーブル保護カバーにおいて、長尺で柔軟な材料からなる第１の部品の両側縁に沿って被嵌合部を設け、長尺で柔軟な材料からなる第２の部品の両側縁に沿って嵌合部を設け、前記第１の部品の前記被嵌合部と前記第２の部品の前記嵌合部とを嵌合させることによって前記第１の部品と前記第２の部品とを結合させ、両部品間に前記長尺体を挿通させるための中空部を形成したことを特徴とするケーブル保護カバー。
【０００５】
請求項１に記載のケーブル保護カバーにあっては、部品数が少なく第１の部品と第２の部品を嵌め合わせるだけでよいので、組み立てが非常に楽になる。また、第１の部品上にケーブルを設置した後、その上に第２の部品を乗せて嵌合部と被嵌合部を嵌合させればよく、ケーブル保護カバー内へのケーブルの挿通が容易になる。
【０００６】
本発明の請求項２にかかるケーブル保護カバーは、長さ方向に対して直交するある方向には曲がりやすく、長さ方向及び前記ある方向と直交する方向には曲がりにくくなっていることを特徴としている。本発明の請求項３にかかるケーブル保護カバーは、前記ある方向では、少なくとも１８０度の角度で湾曲させることができることを特徴としている。
【０００７】
したがって、本発明のケーブル保護カバーにあっては、ある方向にのみ湾曲自在に変形させることができる。また、ある方向以外の方向には、曲がりにくいので、不用意な方向へ曲がって周囲の装置やレバー及び作業者に引っかかることがない。
【０００８】
本発明の請求項４にかかるケーブル保護カバーは、前記第１の部品は前記被嵌合部間に底部を有し、前記第２の部品は前記嵌合部間に蓋部を有し、前記底部又は前記蓋部のうち少なくとも一方に１つ又は２つ以上の貫通孔を開口されたことを特徴としている。
【０００９】
請求項４に記載のケーブル保護カバーにあっては、第１の部品の底部又は第２の部品の蓋部に中空部まで到達する貫通孔が開口しているため、ケーブルで発生した熱などを効率よく外部に放出できるのでケーブルの劣化を抑えることができる。
【００１０】
請求項５に記載のケーブル保護カバーは、前記第１の部品は前記被嵌合部間に底部を有し、前記第２の部品は前記嵌合部間に蓋部を有し、前記底部又は前記蓋部のうち少なくとも一方に幅方向にわたる１つ又は２つ以上のスリットを形成されたことを特徴としている。
【００１１】
請求項５に記載のケーブル保護カバーにあっては、ケーブル保護カバーを湾曲させたときの変形をスリットで吸収することができ、第１の部品と第２の部品の接続部にかかる負荷を低減できる。また、熱などを効率よく外部に放出できるのでケーブルの劣化を抑えることができる。
【００１２】
請求項６に記載のケーブル保護カバーは、前記被嵌合部が、前記底部の厚みよりも太い棒状の弾性リブであることを特徴としている。
【００１３】
請求項６に記載のケーブル保護カバーにあっては、ケーブル保護カバーが大きな曲率で曲がりにくくなり、ケーブル保護カバーの座屈を防止できる。また、湾曲可能な方向以外の方向へ曲がりにくくなる。
【００１４】
請求項７に記載のケーブル保護カバーは、前記第１の部品が前記被嵌合部間に底部を有し、前記第２の部品は前記嵌合部間に蓋部を有し、前記底部又は前記蓋部のうち少なくとも一方の前記中空部側に長さ方向に沿って１つ又は２つ以上の仕切部を有することを特徴としている。
【００１５】
請求項７に記載のケーブル保護カバーにあっては、仕切部によってケーブル保護カバー内に配設したケーブルを位置決めし、ケーブル同士が絡まり合ったり捻れたりしなくなる。また、ケーブル保護カバーの強度が増し、湾曲させたときに座屈しにくくなる。
【００１６】
本発明の請求項８にかかるケーブル保護カバーは、前記中空部内に１つ又は２つ以上の補助部品が納められていることを特徴としている。
【００１７】
請求項８に記載のケーブル保護カバーにあっては、ケーブル保護カバーを湾曲させたときに補助部品があるため、無理な角度に曲がらず、第１の部品と第２の部品の接続が外れたり、ケーブル保護カバーが座屈したりすることを防止できる。さらに、径の小さいケーブルを中空部内に設置しても補助部品で中空部の大きさを調節できるため、ケーブルの絡まりや捻れを防止することができる。
【発明を実施するための最良の形態】
【００１８】
以下、本発明の実施例を図面に従って詳細に説明する。
【実施例１】
【００１９】
図１はケーブル保護カバー１０１の斜視図である。図２はケーブル保護カバー１０１の上面図、図３は、図１のＸ矢視図であってケーブル保護カバー１０１の長さ方向から見た断面図である。ケーブル保護カバー１０１は、蓋部品１０２と受け部品１０３がそれぞれの両側縁で接続され、中空部１１５を有するように形成されている。さらに、中空部１１５内には、ケーブル１３０を配設できるようになっている。さらに、図２及び図３に示すように蓋部品１０２とケーブル１３０との間にケーブル保護カバー１０１の長さ方向に適宜間隔で補助部品１２０が設置されている。
【００２０】
蓋部品１０２は、１対の嵌合部１０４と蓋部１０６により構成されており、蓋部１０６は片方の嵌合部１０４ともう片方の嵌合部１０４の間を繋ぐように設けられている。また、受け部品１０３は、１対の被嵌合部１０５と底部１０７により構成されており、底部１０７は片方の被嵌合部１０５ともう片方の被嵌合部１０５の間を繋ぐように設けられている。さらに、嵌合部１０４と被嵌合部１０５を接続することにより、蓋部品１０２と受け部品１０３が一体となりケーブル保護カバー１０１を形成している。また、蓋部品１０２及び受け部品１０３は、軟質合成樹脂やゴムなどの柔軟な材料を用いて押出成形により製造される。また、部品数が少なく、軟質合成樹脂やゴムなどの柔軟な材料で形成されているので、従来の小型の部品をチェーン状につなぎ合わせたものと比べて、変形時の音も小さくなる。
【００２１】
受け部品１０３の全長に形成された被嵌合部１０５は、ケーブル保護カバー１０１の長さ方向に長い円柱形をしている。一方、蓋部品１０２の全長に形成された嵌合部１０４は、その長さ方向に垂直な断面がＣ字形状をしており、Ｃ字の内側の円の半径が被嵌合部１０５の半径ｒ１と同程度か若干小さめの大きさに形成されている。さらに、嵌合部１０４と被嵌合部１０５は、嵌合部１０４の内部に被嵌合部１０５を嵌め込むようにして接続固定される。また、被嵌合部１０５の半径ｒ１と嵌合部１０４のＣ字の外側の円の半径ｒ２の大きさ、蓋部１０６と底部１０７の厚み、蓋部品１０２及び受け部品１０３の弾性は、中空部１１５内に配設されるケーブル１３０の弾性や重さ及び本数等を考慮して、使用環境下の曲率で少なくとも１８０度湾曲させてもケーブル保護カバー１０１が座屈せず保持できるように設計されている。特に、被嵌合部１０５の半径ｒ１は、蓋部１０６及び底部１０７の厚みよりも大きくなっている。
【００２２】
蓋部１０６は、片方の嵌合部１０４ともう片方の嵌合部１０４の間を断面が円弧又は略矩形を描く様にして形成されている。また、蓋部１０６には、蓋部品１０２の長さ方向に沿って、円形或いは楕円形に開口した通気孔１１０が複数形成されている。一方、図４に示すように、底部１０７は、片方の被嵌合部１０５ともう片方の被嵌合部１０５の間を断面が円弧又は略矩形を描く様にして形成されている。底部１０７も同様に受け部品１０３の長さ方向に沿って、円形或いは楕円形に開口した通気孔１１４が複数個形成されている。また、この通気孔１１０、１１４を通して中空部１１５と外部の空気の入れ換えがおこなわれる。これにより、ケーブルで発生する熱を外部に放出することができ、ケーブルの劣化を低減できる。なお、通気孔１１０、１１４は、蓋部１０６及び底部１０７の押し出し形成後に打抜加工によってあけられている。
【００２３】
また、図３に示すように、蓋部１０６及び受け部１０７には、中空部１１５内に突出するようにして、ケーブル保護カバー１０１の長さ方向に沿って突起状の蓋仕切１１１及び受け仕切１１２が形成されている。また、蓋仕切１１１及び受け仕切１１２は、中空部内に配設されるケーブルの本数或いはケーブルの種類数などによって、適当な数だけ形成されている。そして、蓋仕切１１１及び受け仕切１１２は、中空部１１５内に配設されたケーブル同士が絡まり合ったりくっついたりしないように、ケーブルの長さと垂直な面内でケーブルの動きを抑制している。また、蓋仕切１１１及び受け仕切１１２が形成された箇所は、蓋部１０６及び受け部１０７が部分的に厚くなったものであるので、ケーブル保護カバー１０１を湾曲させたときに座屈しにくくなる。さらに、蓋仕切１１１は、図３に示すように補助部品１２０を用いた場合には、補助部品１２０をケーブル１３０側へ押している。
【００２４】
図５（ａ）に補助部品１２０の上面図を示す。また、図５（ｂ）に図５（ａ）のＹ矢視図であって、補助部品１２０の側面図を示す。補助部品１２０は、１対の端柱部２１とその間を繋ぐ橋部２２で構成されている。また、補助部品１２０は、蓋部品１０２及び受け部品１０３と同程度かそれよりも硬質な材料で形成されている。例えば、アルミニウムや硬質プラスチックで形成されている。
【００２５】
端柱部２１は、断面が円形をしており、ケーブル保護カバー１０１の長さ方向に一定の長さを有している。一方、橋部２２には、図３及び図５（ｂ）に示すように、橋部２２から受け部品１０３側に向かって突出した突起部である補助仕切部２３が形成されている。また、補助仕切部２３は、受け部品１０３の底部１０７に形成された受け仕切１１２と対応する位置に受け部品１０３側に突出するようにして形成されている。
【００２６】
さらに、図３に示すように、補助部品１２０は、蓋部１０６と嵌合部１０４の間の凹部に端柱部２１を嵌め込むようにして蓋部１０６の内側に配置し、橋部２２が蓋仕切１１１とケーブル１３０の間を通過するようにして設置されている。なお、橋部２２は、蓋仕切１１１によってケーブル１３０の方向に押されている。このため、橋部２２に形成された補助仕切部２３がケーブル１３０のケーブル保護カバー１０１の長さ方向と垂直な面内での移動を制限している。したがって、補助部品１２０は、ケーブル保護カバー１０１の中空部１１５の空間の大きさを調節し、ケーブル１３０の絡まりや捻れが起こりにくくしている。
【００２７】
以上説明したように、本発明のケーブル保護カバー１０１は、蓋部品１０２と受け部品１０３の２つの部品で構成されているので、従来例のように多数のパーツからなる部品を組み合わせるよりも組み立てが簡単である。また、部品数が少ないのでコストもかからない。
【００２８】
また、補助部品１２０が配置されている箇所でケーブル保護カバー１０１はほとんど湾曲しないので、補助部品１２０が一定の間隔で複数個配置してあるので、ケーブル保護カバー１０１は一定の曲率以上の大きさで湾曲せず、蓋部品１０２と受け部品１０３の接続部への負荷も小さくなり、外れにくくなる。なお、補助部品１２０は、ケーブル保護カバー１０１だけで十分な強度が得られる場合、特に用いなくてもよい。また、補助部品１２０の端柱部２１、橋部２２及び補助仕切部２３の大きさは、ケーブル保護カバー１０１の大きさ、使用されるケーブル１３０の太さ、取り付ける装置の環境などにより、ケーブル保護カバー１０１を湾曲させたときにケーブル保護カバー１０１が座屈しない適当な大きさに設計されている。また、補助仕切部２３は、ケーブル１３０が絡まったり捻れたりしないように中空部１１５の大きさを制限できるように設計されている。
【実施例２】
【００２９】
本発明の実施例１に示したケーブル保護カバー１０１は、湾曲させたときに、内側と外側で蓋部品１０２と受け部品１０３の変形量が異なる為、蓋部品１０２や受け部品１０３の変形（蓋部１０６や底部１０７の皺）が大きくなったり、湾曲しにくくなったりする。
【００３０】
本発明の実施例２にかかるケーブル保護カバー１４０は、上記の問題を解決するために提案されたものである。図６に本発明の実施例２にかかるケーブル保護カバー１４０の斜視図を示す。
【００３１】
ケーブル保護カバー１４０に用いられている蓋部品１４１の蓋部１０６は、実施例１と同様な通気孔１１０ではなく、片方の嵌合部１０４側からもう片方の嵌合部１０４側まで開口したスリット孔１１３が蓋部品１４１の長さ方向に一定の間隔で形成されている。
【００３２】
この様にスリット孔１１３を形成すれば、蓋部品１０２と受け部品１０３の変形の違い等をスリット孔１１３で吸収することができ、スムーズに湾曲移動させることができるようになる。また、受け部品１０３側が内周側となるように湾曲したとき、受け部品１０３に皺が寄るように変形しにくくなるので、蓋部品１０２と受け部品１０３の接続部への負荷を低減でき、嵌合部１０４と被嵌合部１０５の接続が外れにくくなる。さらに、スリット孔１１３が中空部１１５と外気の換気孔として機能し、ケーブルで発生した熱を外部に放出することができる。
【００３３】
また、特に図示しないが、スリット孔１１３は、蓋部品１４１ではなく受け部品１０３の底部１０７に設けてもよいし、蓋部品１４１と受け部品１０３の両方に設けてもよい。さらに、必要に応じてスリット孔１１３とは別に実施例１で示したような通気孔１１０、１１４を設けてもよい。
【００３４】
なお、蓋部品１０２にスリット孔１１３を形成した場合、ケーブル保護カバー１４０は、図６に矢印Ａで示したように、蓋部品１０２が外側で受け部品１０３が内側になるように湾曲し易くなる。一方、受け部品１０３にスリット孔１１３を形成した場合、ケーブル保護カバー１４０は、蓋部品１０２が内側で受け部品１０３が外側になるように湾曲し易くなる。さらに、スリット孔１１３を、蓋部品１０２と受け部品１０３の両方に形成した場合、ケーブル保護カバー１４０は、蓋部品１０２が外側になる方向と蓋部品１０２が内側になる方向の両方の方向に湾曲自在となる。
【００３５】
なお、上記実施例１及び実施例２において、断面がＣ字形状をした嵌合部１０４のＣ字の内側の円の半径は、被嵌合部１０５の半径ｒ１よりも若干小さ目に形成して、嵌合した時にしっかりと固定されるようにしてもよいし、被嵌合部１０５の半径ｒ１よりも若干大き目に形成して、ケーブル保護カバー１０１（１４０）を湾曲させた時に、嵌合部１０４と被嵌合部１０５が長さ方向にずれて湾曲移動させやすくするようにしてもよい。
【００３６】
また、上記実施例１及び実施例２において、断面がＣ字形状をした嵌合部１０４に円形断面の被嵌合部１０５を嵌め込むことによって接続した場合について説明したが、嵌合部１０４と被嵌合部１０５の形状はこれに限らず、嵌合部１０４と被嵌合部１０５が容易に外れないように接続できる形状であればよい。例えば、嵌合部１０４の断面形状をＵ字型に形成し、被嵌合部１０５の断面形状をＵ字型を上下逆にしたような型にして、お互いを引っかけ合うようにして接続したり、嵌合部１０４の断面形状をＵ字型に形成し、被嵌合部１０５の断面形状を円形にして、被嵌合部１０５に嵌合部１０４を引っかけるようにして接続してもよい。
【００３７】
さらに、嵌合部１０４と被嵌合部１０５を嵌め込んで、ケーブル保護カバー１０１を組み立てた後、嵌合部１０４と被嵌合部１０５を接着剤で接着したり、ビス止め或いはリベット止めして外れないように固定してもよい。
【図面の簡単な説明】
【００３８】
【図１】本発明の実施例１によるケーブル保護カバーの斜視図である。
【図２】同上の上面図である。
【図３】図１のＸ矢視図である。
【図４】本発明の実施例１のケーブル保護カバーに使われている受け部品の斜視図である。
【図５】（ａ）は、本発明の実施例１のケーブル保護カバーに使われている補助部品の上面図である。（ｂ）は、（ａ）のＹ矢視図である。
【図６】本発明の実施例２によるケーブル保護カバーの斜視図である。
【図７】ケーブルドラグチェーンの概略側面図である。
【符号の説明】
【００３９】
１０１  ケーブル保護カバー
１０２  蓋部品
１０３  受け部品
１０４  嵌合部
１０５  被嵌合部
１０６  蓋部
１０７  底部
１１０、１１４  通気孔
１１３  スリット孔
１１５  中空部
１２０  補助部品
１３０  ケーブル
【図１】
2006166640.tif 000003
【図２】
2006166640.tif 000004
【図３】
2006166640.tif 000005
【図４】
2006166640.tif 000006
【図５】
2006166640.tif 000007
【図６】
2006166640.tif 000008
【図７】
2006166640.tif 000009